(57)【要約】【課題】  光源としてＬＥＤを利用することにより照明器具を小型に構成できるという利点を保ちつつ、照明の照射方向を変更することが可能な利便性の良い照明器具を提供する。【解決手段】  照明器具５０は、光を照射する複数のＬＥＤ光源３１が一列に並んで配置された光源ユニット３０と、各ＬＥＤ光源３１からの光を拡散するためのカバー４０と、上記複数のＬＥＤ光源３１の照射方向を変更するための調整機構２０とを有している。調整機構２０は、２本の回動軸２８ａ、２８ｂと、それらの間に構成されたリンク機構と、回動軸２８ａに連結固定されたレバー２１とを有しており、レバー２１の移動に応じて、ＬＥＤ光源３１が回動軸２８ｂ周りに揺動するように構成されている。【選択図】  図３
2006114237.tif 000002
【特許請求の範囲】
【請求項１】
光を照射する複数のＬＥＤ光源が線状または面状に配置され、前記複数のＬＥＤ光源からの光が光拡散部材によって拡散されるように構成された照明器具において、
前記複数のＬＥＤ光源による照射方向を変更するための調整機構が設けられていることを特徴とする照明器具。
【請求項２】
前記調整機構は、一列に並んで配置された前記複数のＬＥＤ光源の方向を一括して変更するように構成されている、請求項１に記載の照明器具。
【請求項３】
それぞれの前記ＬＥＤ光源の照射方向が同一となっている、請求項１または２に記載の照明器具。
【請求項４】
前記複数のＬＥＤ光源は、水平方向に延びる第１の回動軸を中心として揺動するように構成されている、請求項２または３に記載の照明器具。
【請求項５】
前記光拡散部材は、樹脂材料からなると共に、前記照明器具の筐体の少なくとも一部を構成するカバー部材であり、
前記カバー部材は、少なくとも前記各ＬＥＤ光源からの光が通過する領域に、前記複数のＬＥＤ光源の揺動軌道に対応して湾曲した湾曲部を有している、請求項４に記載の照明器具。
【請求項６】
前記調整機構は、前記第１の回動軸と、該第１の回動軸と平行に延びる第２の回動軸と、前記第１および第２の回動軸の間に構成されたリンク機構と、前記第２の回動軸に連結固定されたレバー部材とを有し、
前記リンク機構は、その一部で前記複数のＬＥＤ光源を実質的に保持すると共に、前記レバー部材の移動に応じて、前記複数のＬＥＤ光源を前記第１の回動軸周りに揺動させるように構成されている、請求項４または５に記載の照明器具。
【発明の詳細な説明】
【技術分野】
【０００１】
本発明は、学習机、パーソナルコンピュータ用デスク、またはシステムキッチン等に利用可能な棚下灯型の照明器具に関し、特に光源として複数のＬＥＤを有する照明器具に関する。
【背景技術】
【０００２】
従来、直管蛍光ランプに代えて複数のＬＥＤを光源とする照明器具が知られている。図４は、例えば特許文献１に開示された照明器具に使用される光源ユニットの構成を示す分解斜視図である。
【０００３】
図４に示すように、光源ユニット１０２は、線状に配置された複数のＬＥＤ光源１０６を有している。また、カバー１０３は、例えば乳白色のアクリル製のものであり、複数のＬＥＤ光源１０６を覆うことができるような形状に形成されている。特許文献１の照明器具は、例えば住宅内に配置されて床面を照らすために使用されるものである。その照明器具において、光源ユニット１０２は照明器具内に固定的に配置され、予め設定された所定の照射範囲を照射するように構成されている。
【０００４】
光源ユニット１０２は、複数のＬＥＤ光源１０６を有しているものの、蛍光ランプを利用して同等の光量を得る構成と比較して照明器具を小型または薄型に構成できるという利点を有している。また、ＬＥＤの発熱量は蛍光ランプと比較して小さいことから、照明器具に必要な放熱対策用のスペースを小さくすることが可能であり、このことからも、光源としてＬＥＤを利用することは照明器具を小型に構成するのに有利である。
【０００５】
なお、照明器具を小型、薄型に構成できることは、例えば照明器具をシステムキッチンに利用する場合を例に挙げて言えば、照明器具の下方に位置するユーザーの作業スペースを大きくとることができるため好ましい。
【特許文献１】特開平１１−６６９３８号公報
【発明の開示】
【発明が解決しようとする課題】
【０００６】
上述したように、光源としてＬＥＤを利用することによって、照明器具を小型、薄型に構成できるという利点を得られるものの、ＬＥＤから照射される光は比較的高い指向性を有しており、蛍光ランプと比べると、その照射範囲が狭くなる傾向がある。他方、照明器具は、学習机やシステムキッチンに利用されるものであり、特許文献１に開示された照明器具のように照明の照射方向が固定されている構成では、ユーザーの利便性が悪いという問題点があった。
【０００７】
本発明は上記のような問題点に鑑みてなされたものであり、その目的は、光源としてＬＥＤを利用することにより照明器具を小型に構成できるという利点を保ちつつ、照明の照射方向を変更することが可能な利便性の良い照明器具を提供することにある。
【課題を解決するための手段】
【０００８】
上記目的を達成するため、本発明の照明器具は、光を照射する複数のＬＥＤ光源が線状または面状に配置され、前記複数のＬＥＤ光源からの光が光拡散部材によって拡散されるように構成された照明器具において、前記複数のＬＥＤ光源による照射方向を変更するための調整機構が設けられていることを特徴とする。
【０００９】
このように構成された本発明の照明器具によれば、照射方向を変更するための調整機構が設けられているため、複数のＬＥＤ光源による照射方向を変えることができ、ユーザーにとって利便性の良いものとなる。
【００１０】
上記本発明の照明器具において、調整機構は、一列に並んで配置された前記複数のＬＥＤ光源の方向を一括して変更させるように構成されているものであってもよい。また、それぞれのＬＥＤ光源の照射方向は同一となっていてもよい。また、複数のＬＥＤ光源が、水平方向に延びる第１の回動軸を中心として揺動するように構成されたものであってもよい。この場合、調整機構は、より具体的には、前記第１の回動軸と、該第１の回動軸と平行に延びる第２の回動軸と、前記第１および第２の回動軸の間に構成されたリンク機構と、前記第２の回動軸に連結固定されたレバー部材とを有し、前記リンク機構は、その一部で前記複数のＬＥＤ光源を実質的に保持すると共に、前記レバー部材の移動に応じて、前記複数のＬＥＤ光源を前記第１の回動軸周りに揺動させるように構成されているものであってもよい。また、前記光拡散部材は、樹脂材料からなると共に、前記照明器具の筐体の少なくとも一部を構成するカバー部材であり、前記カバー部材は、少なくとも前記各ＬＥＤ光源からの光が通過する領域に、前記複数のＬＥＤ光源の揺動軌道に対応して湾曲した湾曲部を有しているものであってもよい。
【発明の効果】
【００１１】
上述したように、本発明の照明器具は、複数のＬＥＤ光源による照射方向を変更する調整機構が設けられているため、ユーザーにとって利便性の良いものとなる。また、光源としてＬＥＤを利用しているため、照明器具を小型あるいは薄型に構成することができる。
【発明を実施するための最良の形態】
【００１２】
以下、本発明の実施の形態について図面を参照して説明する。図１は、本発明の一実施形態による照明器具の構成を示すための分解斜視図である。
【００１３】
本実施形態の照明器具５０では、カバー４０が本体部１０に対して取り付けられ、さらに、本体部１０の両側にエンドカバー１４ａ、１４ｂが取り付けられることによって、それらが照明器具５０の筐体を構成するようになっている。そして、その筐体内には、複数のＬＥＤ光源３１が配置された光源ユニット３０と、ＬＥＤ光源３１の照射方向を変更するための調整機構２０とが配置される。筐体内にはその他にも、ＬＥＤ光源３１の点灯および消灯を制御するための点灯回路１２や、この点灯回路１２に電気的に接続されたスイッチ１１が配置されるが、これら点灯回路１２およびスイッチ１１は、この種の照明器具において従来公知であるため、その説明は省略する。なお、照明器具５０は、カバー４０側を前方に向けて使用されるものである。
【００１４】
以下、図２、図３を参照して照明器具５０の詳細な構成について説明する。図２は、図１の照明器具の３面図を示しており、図２（ａ）が模式的上面図であり、図２（ｂ）が模式的正面図であり、図２（ｃ）が模式的側面図である。図３は、主として調整機構の構成および動作を説明するための図であり、図２（ｃ）の側面図を拡大してより詳細に示している。
【００１５】
図２に示すように、光源ユニット３０には、複数のＬＥＤ光源３１が所定ピッチで一列に並んで配置されており、また、各ＬＥＤ光源３１の照射方向は同一となっている。ＬＥＤ光源３１の数は特に限定されるものではないが、例えば３０〜４０個程度であってもよい。
【００１６】
光源ユニット３０は、筐体内部の前方側に配置されており、その両端が調整機構２０と取付け器具１９とによって保持されることによって、回動軸２８ｂ周りに揺動できるように構成されている。なお、この光源ユニット３０の揺動については図３を参照して詳細に説明する。筐体内部における、点灯回路１２およびスイッチ１１の位置は特に限定されるものではないが、本実施形態では照明器具５０の後方側に配置されている。
【００１７】
次に、図３を参照して、まず、照明器具５０の筐体の断面形状について説明する。本体部１０とカバー４０とで構成された筐体の断面形状は、図示するように、偏平な略矩形形状となっている。より具体的には、本体部１０は、断面が略コ字形状に形成されており、互いに平行な上面部１０ａおよび下面部１０ｂとを有している。本体部１０は、例えば板金をプレス加工したものであってもよいし、樹脂成形品であってもよい。カバー４０は、ＬＥＤ光源３１からの光を拡散できるように例えば乳白色の樹脂形成品で構成されている。カバー４０は、図３（ｂ）に示すように、前方側下寄りの角部、すなわち、ＬＥＤ光源３１からの光が通過する領域のところにＲ状に湾曲した湾曲部４０ａを有している。なお、この湾曲部４０ａの詳細な形状に関しては、ＬＥＤ光源３１の揺動についての説明と併せて後述するものとする。
【００１８】
次に、照明の照射方向を変更する調整機構２０の構成および動作について説明する。
【００１９】
調整機構２０は、図３に示すように、それぞれ光源ユニット３０と平行に延びる２本の回動軸２８ａ、２８ｂと、その２本の回動軸２８ａ、２８ｂの間で１つのリンク機構を構成する回動部材２４、連結アーム２６、および回動バー２５と、一方の回動軸２８ａに連結固定されたレバー２１とを有している。
【００２０】
２本の回動軸２８ａ、２８ｂは、略同じ高さに位置すると共に、水平方向に所定の距離をおいて配置されている。一方の回動軸２８ａは、連結固定されたレバー２１を前後に移動させることによって、所定の角度だけ回動するように構成されている。
【００２１】
回動部材２４は、略扇形の輪郭形状を有し、その扇形の中心点付近が回動軸２８ａに連結固定されている。したがって、回動部材２４は、レバー２１の前後への移動に応じて、図３（ａ）に示すような状態と、図３（ｂ）に示すような状態とをとるように構成されている。回動部材２４の２辺のそれぞれには、図３（ａ）、（ｂ）の各状態において本体部１０の上面部１０ａに当接してストッパとして機能する当接部２４ａ、２４ｂが形成されている。当接部２４ａ、２４ｂを、図示するような突起形状とすることは、突起量を比較的容易に調整できる点で好ましい。つまり、このような構成によれば、仮に照明器具５０の製品開発工程において、例えばレバー２１の可動域を変更する必要が生じた場合に、当接部２４ａ、２４ｂの突起量を調整するだけで比較的容易に対応することができる点で有利である。また、当接部２４ａ、２４ｂは、回動軸２８ａから比較的離れたところに設けられていることが好ましく、このような構成とすることで、レバー２１に過大な力が加わった場合であっても、当接部２４ａ、２４ｂが破損または変形しにくいものとなる。
【００２２】
なお、回動部材２４の円弧形状は、回動軸２８ａを中心とする円の外周に一致するものであってもよく、このような構成とすることで、回動部材２４の動作に必要なスペースを最小限に抑えることができる。
【００２３】
回動バー２５は、一端側が回動軸２８ｂによって回動自在に支持されることによって、回動軸２８ｂを中心として揺動できるように構成されている。回動バー２５には、光源ユニット３０が取り付けられており、これにより、光源ユニット３０と回動バー２５とは一体的に動作するように構成されている。
【００２４】
連結アーム２６は、回動部材２４と回動バー２５とを連結する部材であり、具体的には、回動部材２４の、回動軸２８ａから所定距離だけ離れた位置に設けられた連結軸２９ａと、回動バー２５の、回動軸２８ｂから所定距離だけ離れた位置に設けられた連結軸２９ａとに連結されている。なお、回動軸２８ａと連結軸２９ａとの間の上記所定距離と、回動軸２８ｂと連結軸２９ｂとの間の上記所定距離はほぼ同一となっている。
【００２５】
上述のように構成された調整機構２０では、図３（ａ）に示すように、レバー２１をその可動範囲の最前方側に位置させることで、光源ユニット３０のＬＥＤ光源３１が前方側に向く状態となる。なお、この状態では、回動部材２４の当接部２４ａが本体部１０の上面部１０ａに当接しているため、レバー２１はそれ以上前方には移動しないようになっている。
【００２６】
次いで、図３（ｂ）に示すように、レバー２１を矢印Ａ方向に向かって後方に移動させると、それに応じて、ＬＥＤ光源３１は回動軸２８ｂを中心として矢印Ｂ方向に揺動し、下方側に向く状態となる。この状態では、回動部材２４の反対側の当接部２４ｂが上面部１０ａに当接することで、レバー２１はそれ以上後方に移動しないようになっている。なお、レバー２１は、当然ながら、図３（ａ）の最前方側の位置と図３（ｂ）の最後方側の位置との間の任意の位置で停止させることができるようになっている。
【００２７】
上述のように、ＬＥＤ光源３１が回動軸２８ｂを中心として揺動する照明器具５０においては、照射特性を均一にするために、カバー４０の湾曲部４０ａの形状は、ＬＥＤ光源３１の揺動軌跡に対応して湾曲していることが好ましい。すなわち、ＬＥＤ光源３１と湾曲部４０ａとの間の距離が常に略一定となるような形状となっていることが好ましい。これにより、ＬＥＤ光源３１がどの方向を向いたとしても、ＬＥＤ光源３１とその光を拡散させるための部材との間の位置関係は変化しないため、ＬＥＤ光源３１の位置に関わらず均一的な照射が行えるものとなる。また、このような、均一な照射を実現するためには、少なくとも湾曲部４０ａにおいて、カバー４０の肉厚が均一となっていることが好ましい。
【００２８】
以上説明したように、本実施形態の照明器具５０によれば、複数のＬＥＤ光源３１による照明の照射方向を変更するための調整機構２０が設けられているため、照明器具５０を利用するユーザーは、レバー２１を操作することによって照明の照射方向を所望の位置に変更することができる。また、照明器具５０は、光源としてＬＥＤを利用するものであるため、蛍光ランプを利用するものと比較して薄型に構成することが可能である。
【００２９】
調整機構２０は、レバー２１の操作に応じてＬＥＤ光源３１を揺動させることができるものであれば、図３に示したようなリンク機構の他にも、例えば幾つか歯車を有する機構としても構成可能であるが、リンク機構は、比較的簡単な構造で構成できる点で好ましい。
【００３０】
なお、本発明は上述した照明器具５０の構成に限定されるものではなく、例えば、複数のＬＥＤ光源３１が２列に配置されたものであってもよいし、あるいは、面状に配置されたものであってもよい。また、光源ユニット３０の数も１つに限られるものではなく、例えば、比較的短い幾つかの光源ユニットのそれぞれが、上述したような調整機構によって揺動するような構成となっていてもよい。また、カバー４０の湾曲部４０ａ、つまり光が通過する領域においては、カバー４０の部材表面に、光を拡散させるためのシボまたはスリット等が形成されていてもよい。
【図面の簡単な説明】
【００３１】
【図１】本発明の一実施形態による照明器具の構成を示すための分解斜視図である。
【図２】図１の照明器具の３面図を示しており、図２（ａ）が模式的上面図であり、図２（ｂ）が模式的正面図であり、図２（ｃ）が模式的側面図である。
【図３】図１の照明器具に組み込まれる調整機構の構成および動作を説明するための図であり、図２（ｃ）の側面図を拡大してより詳細に示している。
【図４】従来の照明器具に使用される光源ユニットの構成を示す分解斜視図である。
【符号の説明】
【００３２】
１０  本体部
１０ａ  上面部
１０ｂ  下面部
１１  スイッチ
１２  点灯回路
１４ａ、１４ｂ  エンドカバー
１９  取付け器具
２０  調整機構
２１  レバー
２４  回動部材
２４ａ、２４ｂ  当接部
２５  回動バー
２６  連結アーム
２８ａ、２８ｂ  回動軸
２９ａ、２９ｂ  連結軸
３０  光源ユニット
３１  ＬＥＤ光源
４０  カバー
４０ａ  湾曲部
５０  照明器具
【図１】
2006114237.tif 000003
【図２】
2006114237.tif 000004
【図３】
2006114237.tif 000005
【図４】
2006114237.tif 000006